(57)【要約】【課題】  動画前後撮影機能を容易に搭載することができる撮像装置を提供すること。【解決手段】  制御手段２８は、データ圧縮手段１６により圧縮して得られる画像データを複数フレーム分に渡って第１記憶手段１８に記憶させるとともに、画像データに対応する画像サイズデータ及びアドレスデータをそれぞれ第２及び第３記憶手段２０，２２に複数フレーム分に渡って記憶させ、その後、第１〜第３記憶手段１８〜２２にそれぞれ記憶された最も古い各データを順次消去させるとともに、最も新しい各データを第１〜第３記憶手段１８〜２２にそれぞれ順次記憶させる。シャッターボタン８が押圧されると、制御手段２８は、押圧時において第１〜第３記憶手段１８〜２２にそれぞれ記憶されている各データ及び押圧後に第１〜第３記憶手段１８〜２２にそれぞれ記憶される各データに基づいて動画データを生成する。【選択図】  図１
2010016431.tif 000002
【特許請求の範囲】
【請求項１】
被写体を撮像するための撮像手段と、前記撮像手段からの撮像データをモーションＪＰＥＧ方式で圧縮するためのデータ圧縮手段と、前記データ圧縮手段により圧縮して得られる画像データを一時的に記憶するための第１記憶手段と、前記画像データに対応する画像サイズデータを一時的に記憶するための第２記憶手段と、前記画像データに対応するアドレスデータを一時的に記憶するための第３記憶手段と、前記第１〜第３記憶手段にそれぞれ一時的に記憶された前記各データに基づいて生成された動画データを保存記憶するための保存記憶手段と、前記第１〜第３記憶手段への前記各データの一時的記憶及び前記保存記憶手段への前記動画データの保存記憶を制御するための制御手段と、撮影を指示するための撮影指示手段と、を備え、
前記制御手段は、前記データ圧縮手段により圧縮して得られる前記画像データを複数フレーム分に渡って前記第１記憶手段に記憶させるとともに、前記画像データに対応する前記画像サイズデータ及び前記アドレスデータをそれぞれ前記第２及び第３記憶手段に複数フレーム分に渡って記憶させ、その後、前記第１〜第３記憶手段にそれぞれ記憶された最も古い前記各データを順次消去させるとともに、最も新しい前記各データを前記第１〜第３記憶手段にそれぞれ順次記憶させ、
前記撮影指示手段により撮影が指示されると、前記制御手段は、撮影指示時において前記第１〜第３記憶手段にそれぞれ記憶されている前記各データ及び撮影指示後に前記第１〜第３記憶手段にそれぞれ記憶される前記各データに基づいて前記動画データを生成し、この生成された前記動画データを前記保存記憶手段に記憶させることを特徴とする撮像装置。
【請求項２】
前記動画データは、ヘッダ部、データ部及びフッタ部から構成され、
前記撮影指示手段により撮影が指示されると、前記制御手段は、前記第３記憶手段に記憶された前記アドレスデータを読み出し、更にこのアドレスデータに対応する前記第１及び第２記憶手段にそれぞれ記憶された前記画像データ及び前記画像サイズデータを読み出し、読み出した前記画像データに基づいて前記データ部を作成し、読み出した前記画像サイズデータ及び前記アドレスデータに基づいて前記ヘッダ部及び前記フッタ部を作成することを特徴とする請求項１に記載の撮像装置。
【発明の詳細な説明】
【技術分野】
【０００１】
本発明は、被写体を撮像して得られた動画データを保存記憶する撮像装置に関する。
【背景技術】
【０００２】
動画を撮影することができるデジタルビデオカメラが知られており、このデジタルビデオカメラには、シャッターボタンを押圧する前後の一定時間の動画データを保存記憶する動画前後撮影機能を有するタイプのものがある（例えば、特許文献１参照）。このタイプのデジタルビデオカメラでは、カメラ部からの撮像データは所要の通りに圧縮された後に画像データとしてバッファメモリに記憶され、複数フレーム分の画像データがバッファメモリに記憶された後には、最も古い画像データが最も新しい画像データによって上書きされる。シャッターボタンを押圧すると、シャッターボタンを押圧した時点においてバッファメモリに記憶されている画像データ及びシャッターボタンを押圧した後にバッファメモリに記憶される画像データに基づいて動画データが生成され、生成された動画データがビデオカメラ本体に内蔵されたＳＤカードや光ディスク、ハードディスクなどに保存記憶される。このイベントレコーダ機能によって、例えばゴルフのパットの瞬間や運動会の競技スタートの瞬間などのシャッターチャンスを確実に捕らえることができる。
【０００３】
【特許文献１】特許第３０４２４８５号公報
【発明の開示】
【発明が解決しようとする課題】
【０００４】
近年では、上述したデジタルビデオカメラの他に、静止画だけでなく動画をも撮影することができるデジタルカメラが普及している。しかしながら、撮像データをモーションＪＰＥＧ（Ｊｏｉｎｔ  Ｐｈｏｔｏｇｒａｐｈｉｃ  ｃｏｄｉｎｇ  Ｅｘｐｅｒｔｓ  Ｇｒｏｕｐ）形式により圧縮するタイプのデジタルカメラにおいては、バッファメモリに記憶された画像データをこれに付随する情報データ（例えば、画像サイズデータやアドレスデータなど）とともに逐次更新していく必要があり、その制御が複雑になる。このため、上述のタイプのデジタルカメラには動画前後撮影機能を搭載することが難しいという問題がある。
【０００５】
本発明の目的は、撮像データをモーションＪＰＥＧ形式により圧縮するタイプの撮像装置において、動画前後撮影機能を容易に搭載することができる撮像装置を提供することである。
【課題を解決するための手段】
【０００６】
本発明の請求項１に記載の撮像装置では、被写体を撮像するための撮像手段と、前記撮像手段からの撮像データをモーションＪＰＥＧ方式で圧縮するためのデータ圧縮手段と、前記データ圧縮手段により圧縮して得られる画像データを一時的に記憶するための第１記憶手段と、前記画像データに対応する画像サイズデータを一時的に記憶するための第２記憶手段と、前記画像データに対応するアドレスデータを一時的に記憶するための第３記憶手段と、前記第１〜第３記憶手段にそれぞれ一時的に記憶された前記各データに基づいて生成された動画データを保存記憶するための保存記憶手段と、前記第１〜第３記憶手段への前記各データの一時的記憶及び前記保存記憶手段への前記動画データの保存記憶を制御するための制御手段と、撮影を指示するための撮影指示手段と、を備え、
前記制御手段は、前記データ圧縮手段により圧縮して得られる前記画像データを複数フレーム分に渡って前記第１記憶手段に記憶させるとともに、前記画像データに対応する前記画像サイズデータ及び前記アドレスデータをそれぞれ前記第２及び第３記憶手段に複数フレーム分に渡って記憶させ、その後、前記第１〜第３記憶手段にそれぞれ記憶された最も古い前記各データを順次消去させるとともに、最も新しい前記各データを前記第１〜第３記憶手段にそれぞれ順次記憶させ、
前記撮影指示手段により撮影が指示されると、前記制御手段は、撮影指示時において前記第１〜第３記憶手段にそれぞれ記憶されている前記各データ及び撮影指示後に前記第１〜第３記憶手段にそれぞれ記憶される前記各データに基づいて前記動画データを生成し、この生成された前記動画データを前記保存記憶手段に記憶させることを特徴とする。
【０００７】
また、本発明の請求項２に記載の撮像装置では、前記動画データは、ヘッダ部、データ部及びフッタ部から構成され、
前記撮影指示手段により撮影が指示されると、前記制御手段は、前記第３記憶手段に記憶された前記アドレスデータを読み出し、更にこのアドレスデータに対応する前記第１及び第２記憶手段にそれぞれ記憶された前記画像データ及び前記画像サイズデータを読み出し、読み出した前記画像データに基づいて前記データ部を作成し、読み出した前記画像サイズデータ及び前記アドレスデータに基づいて前記ヘッダ部及び前記フッタ部を作成することを特徴とする。
【発明の効果】
【０００８】
本発明の請求項１に記載の撮像装置によれば、１フレーム毎に画像データ、画像サイズデータ及びアドレスデータに分離して管理することによって、制御手段の構成を簡単なものとすることができる。これによって、撮像データをモーションＪＰＥＧ形式により圧縮するタイプの撮像装置において、動画前後撮影機能を容易に搭載することができる。
【０００９】
また、本発明の請求項２に記載の撮像装置によれば、第３記憶手段に記憶されたアドレスデータを読み出し、更にこのアドレスデータに対応する第１及び第２記憶手段にそれぞれ記憶された画像データ及び画像サイズデータを読み出すことによって、読み出した画像データに基づいてデータ部を作成することができ、また、読み出した画像サイズデータ及びアドレスデータに基づいてヘッダ部及びフッタ部を作成することができる。このように作成されたヘッダ部、データ部及びフッタ部に基づいて、動画データを容易に生成することができる。
【発明を実施するための最良の形態】
【００１０】
以下、添付図面を参照して、本発明に従う撮像装置の一実施形態について説明する。図１は、本発明の一実施形態による撮像装置の構成を示すブロック図であり、図２（ａ）は、動画データの構成を示す概念図であり、図２（ｂ）は、動画データのヘッダ部の構成を示す概念図であり、図２（ｃ）は、動画データのフッタ部の構成を示す概念図であり、図３（ａ）は、画像データが格納された第１記憶手段の構成を示す概念図であり、図３（ｂ）は、画像サイズデータが格納された第２記憶手段の構成を示す概念図であり、図３（ｃ）は、アドレスデータが格納された第３記憶手段の構成を示す概念図であり、図４は、撮像した画像と保存記憶手段に保存記憶される画像との関係を示すタイムチャートであり、図５は、動画前後撮影機能の制御の流れを説明するためのフローチャートである。
【００１１】
図１を参照して、図示の撮像装置２は、本実施形態では、静止画及び動画を撮影することができるデジタルカメラから構成されている。撮像装置２は撮像装置本体４を有し、この撮像装置本体４には、カメラ部６（撮像手段を構成する）、シャッターボタン８（撮影指示手段を構成する）、液晶表示部１０及び操作部１２が設けられている。撮像装置本体４には、Ａ／Ｄ変換回路１４、データ圧縮手段１６、第１〜第４記憶手段１８，２０，２２，２４、保存記憶手段２６及び制御手段２８が内蔵されている。
【００１２】
カメラ部６は、例えばＣＣＤカメラから構成され、光学レンズ３０及び撮像素子３２を有している。光学レンズ３０は、被写体の像を撮像素子３２の撮像面に結像する。撮像素子３２は、光学レンズ３０によって結像された被写体の像を電気信号に光電変換する。
【００１３】
Ａ／Ｄ変換回路１４は、撮像素子３２からの電気信号、即ち撮像データをＡ／Ｄ変換する。データ圧縮手段１６は、Ａ／Ｄ変換回路１４によってＡ／Ｄ変換された撮像データをモーションＪＰＥＧ形式で圧縮する。データ圧縮手段１６により圧縮して得られる画像データは、固定データと、ＪＰＥＧ画像データと、ＪＰＥＧ画像データのサイズを示す画像サイズデータと、を含んでいる（図２（ａ）参照）。
【００１４】
第１〜第３記憶手段１８，２０，２２はそれぞれリングバッファメモリから構成されている（図３参照）。第１記憶手段１８には、データ圧縮手段１６により圧縮して得られる画像データが一時的に記憶される。第２記憶手段２０には、第１記憶手段１８に記憶された画像データに対応して、画像データに含まれる画像サイズデータのコピーデータが一時的に記憶される。第３記憶手段２２には、第１記憶手段１８に記憶された画像データに対応して、画像データのアドレスを示すアドレスデータが一時的に記憶される。
【００１５】
第１〜第３記憶手段１８，２０，２２の各メモリ領域３４，３５，３６には、先頭アドレスから最終アドレスまで順にデータが格納され、これにより複数フレーム分（例えば、１００フレーム分）のデータが各メモリ領域３４，３５，３６に格納される。各メモリ領域３４，３５，３６の最終アドレスまでデータが格納されると、先頭アドレスに格納された最も古いデータが消去されるとともに、最も新しいデータが先頭アドレスに格納される。以下同様にして、先頭から２番目のアドレスに格納された最も古いデータが消去されるとともに、最も新しいデータが先頭から２番目のアドレスに格納され、このようにして最も古いデータが最も新しいデータによって順次上書きされる。
【００１６】
また、第４記憶手段２４はバッファメモリから構成されている。この第４記憶手段２４には、後述する動画データ３８のフッタ部４０が一時的に記憶される。
保存記憶手段２６は、撮像装置本体４に内蔵された例えばＳＤカードやメモリなどから構成され、制御手段２８によって生成された動画データ３８が保存記憶される。保存記憶手段２６に保存記憶される動画データ３８は、ヘッダ部４２、データ部４４及びフッタ部４０から構成される（図２参照）。ヘッダ部４２は、固定データ、ファイルサイズデータ、ヘッダサイズデータ、フレーム数データ及びデータサイズなどから構成されている。データ部４４は、複数の画像データから構成されている。また、フッタ部４０は、固定データ、フッタサイズデータ、複数フレーム分のデータ（固定データ、アドレスデータ及び画像サイズデータ）などから構成されている。
【００１７】
制御手段２８は、例えばマイクロコンピュータなどから構成され、第１〜第４記憶手段１８，２０，２２，２４への各データの一時的記憶及び保存記憶手段２６への動画データ３８の保存記憶を後述するようにして制御する。
【００１８】
液晶表示部１０には、保存記憶手段２６に保存記憶された静止画や動画などが表示される。また、操作部１２は押圧スイッチなどから構成され、この操作部１２を操作することにより、静止画撮影モード、動画通常撮影モード及び動画前後撮影モードに順次切り替わる。静止画撮影モードでは、シャッターボタン８を押圧すると静止画が撮影され、動画通常撮影モードでは、シャッターボタン８を押圧した後の動画が撮影され、また、動画前後撮影モードでは、後述する動画前後撮影機能に基づいてシャッターボタン８を押圧する前後の一定時間の動画が撮影される。
【００１９】
次に、図４及び図５をも参照して、上述した撮像装置２の動画前後撮影機能について説明する。本実施形態では、シャッターボタン８を押圧する時点で第１〜第３記憶手段１８，２０，２２に記憶されている２フレーム分の画像Ａ，Ｂに対応する各データと、シャッターボタン８を押圧してから再びシャッターボタン８を押圧するまでの間に第１〜第３記憶手段１８，２０，２２に記憶される画像Ｃ，Ｄ，Ｅに対応する各データとに基づいて、動画データ３８を生成する場合について説明する。
【００２０】
操作部１２を操作して動画前後撮影モードに設定し（ステップＳ１）、シャッターチャンスが到来してシャッターボタン８を押圧するまでの間、撮像装置本体４を被写体（図示せず）に向けて構えておくことによって、被写体の画像Ａ，Ｂがカメラ部６によって撮像される（ステップＳ２）。カメラ部６からの撮像データは、Ａ／Ｄ変換回路１４によってＡ／Ｄ変換された後に、データ圧縮手段１６によってモーションＪＰＥＧ形式で圧縮される（ステップＳ３）。圧縮によって得られた画像データＡ，Ｂは、第１記憶手段１８に順次記憶される。また、この画像データに含まれる画像サイズデータＡ，Ｂのコピーデータが第２記憶手段２０に順次記憶され、この画像データＡ，Ｂのアドレスを示すアドレスデータＡ，Ｂが第３記憶手段２２に順次記憶される（ステップＳ４）。
【００２１】
シャッターチャンスが到来し、画像Ｃがカメラ部６により撮像された時点でシャッターボタン８が押圧されると、ステップＳ５からステップＳ６に進み、動画の撮影が開始される。制御手段２８は、第３記憶手段２２に記憶されている画像Ａに対応するアドレスデータＡを読み出し、このアドレスデータＡに対応する画像データＡ及び画像サイズデータＡをそれぞれ第１及び第２記憶手段１８，２０から読み出す（ステップＳ７）。読み出された画像データＡは保存記憶手段２６に記憶され（ステップＳ８）、動画データ３８のデータ部４４のメモリ領域４６に格納される。また、読み出された画像サイズデータＡ及びアドレスデータＡは第４記憶手段２４に記憶され（ステップＳ９）、動画データ３８のフッタ部４０のメモリ領域４８に格納される。
【００２２】
シャッターボタン８が再度押圧されるまでの間、上述と同様の制御が行われる。即ち、制御手段２８は、第３記憶手段２２に記憶されている画像Ｂ〜Ｅに対応するアドレスデータＢ〜Ｅを順次読み出し、このアドレスデータＢ〜Ｅに対応する画像データＢ〜Ｅ及び画像サイズデータＢ〜Ｅをそれぞれ第１及び第２記憶手段１８，２０から順次読み出す。読み出された画像データＢ〜Ｅは保存記憶手段２６に順次記憶され、動画データ３８のデータ部４４のメモリ領域４６に順次格納される。また、読み出された画像サイズデータＢ〜Ｅ及びアドレスデータＢ〜Ｅは第４記憶手段２４に順次記憶され、動画データ３８のフッタ部４０のメモリ領域４８に順次格納される。
【００２３】
画像Ｅがカメラ部６により撮像された時点でシャッターボタン８を再度押圧すると、画像Ａ〜Ｅに対応するデータが全て読み出されているときには、ステップＳ１１からステップＳ１５に進み、動画の撮影が終了される。画像Ａ〜Ｅに対応するデータが全て読み出されていないときには、ステップＳ１１からステップＳ１２に進み、上述したステップＳ７〜ステップＳ９と同様にステップＳ１２〜ステップＳ１４が行われた後に、動画の撮影が終了される（ステップＳ１５）。
【００２４】
動画の撮影が終了されると、保存記憶手段２６においては、画像データＡ〜Ｅがデータ部４４のメモリ領域４６に順次格納されることによってデータ部４４が作成されるとともに、画像サイズデータＡ〜Ｅ及びアドレスデータＡ〜Ｅに基づいて各データがヘッダ部４２のメモリ領域５０に順次格納されることによってヘッダ部４２が作成され、また、第４記憶手段２４においては、画像サイズデータＡ〜Ｅ及びアドレスデータＡ〜Ｅがフッタ部４０のメモリ領域４８に順次格納されることによってフッタ部４０が作成される（ステップＳ１６）。制御手段２８は、第４記憶手段２４において作成されたフッタ部４０を保存記憶手段２６に送給し、これら作成されたヘッダ部４２、データ部４４及びフッタ部４０に基づいて動画データ３８を生成する（ステップＳ１７）。このように生成された動画データ３８は保存記憶手段２６に保存記憶される（ステップＳ１８）。
【００２５】
従って、本実施形態の撮像装置２では、１フレーム毎に画像データ、画像サイズデータ及びアドレスデータに分離して管理することによって、制御手段２８の構成を簡単なものとすることができる。これによって、撮像データをモーションＪＰＥＧ形式により圧縮するタイプの撮像装置２において、動画前後撮影機能を容易に搭載することができる。
【００２６】
以上、本発明に従う撮像装置の一実施形態について説明したが、本発明はかかる実施形態に限定されるものではなく、本発明の範囲を逸脱することなく種々の変形乃至修正が可能である。
【００２７】
例えば、上記実施形態では、撮像装置２をデジタルカメラから構成したが、これに限られず、モーションＪＰＥＧ形式で撮像データの圧縮を行うタイプの防犯カメラなどから構成することもできる。このように撮像装置２を防犯カメラから構成した場合には、撮影指示手段としての人感センサが侵入者を検知する前後の一定時間の動画データを保存記憶することができる。
【００２８】
また例えば、上記実施形態では、シャッターボタン８を押圧すると動画の撮影が開始され、シャッターボタン８を再び押圧すると動画の撮影が終了されるように構成したが、次のように構成してもよい。即ち、シャッターボタン８を押圧すると動画の撮影が開始され、シャッターボタン８が押圧されている間は動画の撮影が継続され、シャッターボタン８の押圧を解除すると動画の撮影が終了されるように構成してもよい。
【００２９】
また例えば、上記実施形態では、シャッターボタン８を押圧する時点で第１〜第３記憶手段１８，２０，２２に記憶されている２フレーム分の画像Ａ，Ｂに対応する各データが読み出されるように構成したが、１フレーム分でも３フレーム分でもよく、あるいは５フレーム分以上でもよい。
【図面の簡単な説明】
【００３０】
【図１】本発明の一実施形態による撮像装置の構成を示すブロック図である。
【図２】（ａ）は、動画データの構成を示す概念図であり、（ｂ）は、動画データのヘッダ部の構成を示す概念図であり、（ｃ）は、動画データのフッタ部の構成を示す概念図である。
【図３】（ａ）は、画像データが格納された第１記憶手段の構成を示す概念図であり、（ｂ）は、画像サイズデータが格納された第２記憶手段の構成を示す概念図であり、（ｃ）は、アドレスデータが格納された第３記憶手段の構成を示す概念図である。
【図４】撮像した画像と保存記憶手段に保存記憶される画像との関係を示すタイムチャートである。
【図５】動画前後撮影機能の制御の流れを説明するためのフローチャートである。
【符号の説明】
【００３１】
２  撮像装置
６  カメラ部
８  シャッターボタン
１６  データ圧縮手段
１８  第１記憶手段
２０  第２記憶手段
２２  第３記憶手段
２６  保存記憶手段
２８  制御手段
３８  動画データ
４０  フッタ部
４２  ヘッダ部
４４  データ部
【図１】
2010016431.tif 000003
【図２】
2010016431.tif 000004
【図３】
2010016431.tif 000005
【図４】
2010016431.tif 000006
【図５】
2010016431.tif 000007